【事件の表示】
　特許第２８０７４８８号「レンズ位置制御装置およびカメラ」の請求項１ないし５に係る特許に対する特許異議の申立てについて、次のとおり決定する。
【結　論】
　訂正を認める。
　特許第２８０７４８８号の請求項１ないし３に係る特許を維持する。
【理　由】
（１）手続の経緯
　特許第２８０７４８８号の請求項１〜３に係る発明は、平成１年５月３０日に特許出願され、平成１０年７月２４日にその特許の設定登録がなされ、その後異議申立人旭光学工業株式会社により特許異議の申立がなされ、取消理由通知がなされ、その指定期間内である平成１１年１０月４日に訂正請求がなされたものである。　
（２）訂正の適否についての判断
　（ア）訂正明細書の請求項１〜３に係る発明
　訂正明細書の請求項１〜３に係る発明は、その特許請求の範囲の請求項１〜３に記載された次の事項により特定されるとおりのものである。
「１．　変倍用のレンズと、前記レンズを移動させる駆動手段と、前記レンズの移動量に対応するパルスを順次出力する出力手段と、前記出力手段からのパルスを計数する計数手段と、前記レンズが基準位置にあることを検出する検出手段と、前記レンズが前記基準位置にある時に前記計数手段の計数値を初期化し、前記基準位置からの前記パルスの数に基づいて前記レンズの位置を検出して前記レンズ位置を制御する手段と、を有するレンズ位置制御装置であって、
　電源スイッチのオフに応答して前記駆動手段により前記レンズを前記基準位置まで移動させた後で電源を遮断し、前記電源スイッチのオンに応答して前記電源を接続した後で前記計数手段の計数値を初期化する手段を有することを特徴とするレンズ位置制御装置。（以下、「本件請求項１に係る発明」という。）
２．　前記出力手段がギヤに取り付けたパルスジェネレータとパルス検出器とを有することを特徴とする請求項1記載のレンズ位置制御装置。（以下、「本件請求項２に係る発明」という。）
３．　請求項1または2に記載のレンズ位置制御装置を備えていることを特徴とするカメラ。」（以下、「本件請求項３に係る発明」という。）　
　（イ）訂正の内容
　訂正事項a
　特許請求の範囲の請求項1中、「レンズと、」を『変倍用のレンズと、』と訂正する。
　訂正事項b
　特許請求の範囲の請求項１〜５において、もとの請求項2、請求項4を削除し、以下項数を繰上、請求項3を請求項2、請求項5を請求項3と訂正する。
　訂正事項c
　特許請求の範囲の訂正後の請求項3中、「請求項1ないし4のいずれかに記載の」を
『請求項1または2に記載の』に訂正する。
　訂正事項d
　明細書第5頁第19行〜第6頁第15行(特許公報第2頁第4欄第23行)の「レンズと、」を『変倍用のレンズと、』に訂正する。
　訂正事項e
　明細書第14頁第5〜6行の間に挿入した[本発明と実施例における用語の対応関係]の欄中の「本発明における構成要素であるレンズ・・・や検出器3O1に対応している」(特許公報第4頁第7欄第20〜25行)を、『　本発明における構成要素である変倍用レンズ、駆動手段、出力手段および検出手段は、それぞれ、実施例におけるVレンズ102、駆動源111とドライバ114や、パルスジェネレータ119とパルス検出器120やマイコン109および検出器118に対応している。』に訂正する。
　訂正事項f
　明細書第14頁第7〜11行の[発明の効果]の欄中の「本発明によるレンズ位置制御装置において、電源スイッチのオフに応答して駆動手段によりレンズを」(特許公報第4頁第8欄第5〜6行)を、『本発明によるレンズ位置制御装置において、電源スイッチのオフに応答して駆動手段により変倍用レンズを』と訂正する。　
　（ウ）訂正の目的の適否、新規事項の有無及び拡張・変更の存否
　訂正事項ａ及びｂに係る訂正は、特許請求の範囲の減縮に該当し、実質的に特許請求の範囲を拡張又は変更するものではないし、新規事項の追加にも該当しない。
　訂正事項ｃ〜ｆに係る訂正は、明瞭でない記載の釈明に該当し、実質的に特許請求の範囲を拡張又は変更するものではないし、新規事項の追加にも該当しない。　
　（エ）独立特許要件の判断
　（引用刊行物）
　当審が平成１１年７月１９日付で通知した取消理由で引用した刊行物１（特開昭５６−１４７１３３号公報）には、
　「第2図はレンズの移動をレンズ移動モータの回転によって検出するため、モータ若くはそれに連動する回転体に固定されたスリット円板(D)のスリット部に対向して受光素子(SI)(S2)を ・・・。従って、第3図に図示せる如く、一方のセンサ(SI)の出力(SP)を制御パルスとしたとき、・・・位置カウンタをコントロールすればレンズ位置の可逆計数が可能となる。」（第２頁左上欄第１２行〜同頁右上欄第１０行）
　「(21)は比較出力によりレンズ移動モータ(M)を駆動せしめる制御回路、(22)はビデオカメラの電源投入時一定期間出力電圧を発しその立下り出力で前記位置カウンタ(13)をリセットするミューティング回路」（第２頁右下欄第９〜１３行）
　「まず電源投入スイッチ(sw)の閉路によって一定期間ミューティング出力が発生し、前記リレー(R)の一時的な付勢によってミューティング出力が前記レンズ移動モータ(M)に印加されてレンズが基準位置(第1図参照)に復帰せしめられ、ミューティング出力の消勢に伴って前記位置カウンタ(13)が0にリセットされる」（第２頁右下欄第１９行〜第３頁左上欄第６行）が記載されている。　
　同刊行物２（特開昭６２−１５６６３４号公報）には、
　「このレンズ駆動カム3の端部には初期位置検出器を形成するリーフ形式のスイッチ6が配置されている。このスイッチ6は、レンズ駆動カム3が初期位置、即ちレンズ駆動カム3が第1図に示す状態のときにオフされ、レンズ駆動カム3が右方に所定量移動されたときにオンされるような初期位置検出信号S2を生成するようになっている。」（第２頁右下欄第１９行〜第３頁左上欄第６行）が記載されている。　
　同刊行物３（特開昭６２−１０９０３１号公報）には、
　「電源オフ用外部操作スイッチ手段と、該スイッチに連動して該電動焦点調節機構及び電動ズーム機構をレンズ長が最短となる所定位置まで駆動するモータ制御手段と、該所定位置にて電源供給を停止する制御手段とを有することを特徴とする撮影レンズ組込みカメラ」（特許請求の範囲の欄）
　「スイッチ69をオンにすると、CPU91を介して所定動作でズーム筒22、フォーカス筒16を駆動し、レンズ長を最短にした状態で駆動を停止し、自動的に電源をオフにする。」（第７頁右上欄第３〜６行）が記載されている。　
　（対比・判断）
　（本件請求項１に係る発明について）
　本件請求項１に係る発明と上記刊行物１〜３に記載の発明とを対比すると、各刊行物に記載の発明は、本件請求項１に係る発明を特定する事項である、「電源スイッチのオフに応答して駆動手段によりレンズを基準位置まで移動させた後で電源を遮断」する点、を備えておらず、この点により本件請求項１に係る発明は、「従来のこの種の制御装置に比べて、電源スイッチのオン後、素早くレンズを所望の位置に駆動し、撮影動作が行える。」という効果を奏するものであり、本件請求項１に係る発明が上記刊行物１〜３に記載された発明であるとも、上記刊行物１〜３記載のものから当業者が容易に推考することができたものともいえない。
　なお、本件発明の「基準位置」とは、本件請求項１に記載の「前記基準位置からの前記パルスの数に基づいて前記レンズの位置を検出して前記レンズ位置を制御する」ことから明らかなように、この基準位置からのレンズ移動位置を移動に対応して出力されるパルス数の計数によって検出するために設定されたものであるが、刊行物３記載の発明の「電動焦点調節機構及び電動ズーム機構をレンズ長が最短となる所定位置」の「所定位置」は、この「所定位置」を基準としてレンズ位置を検出するものではないので、刊行物３記載の「所定位置」は本件発明の「基準位置」とは異なるものである。
　（本件請求項２及び３に係る発明について）
　本件請求項２及び３に係る発明は、本件請求項１に係る発明の構成の一部をさらに限定したものであるから、上記「（本件請求項１に係る発明について）」と同様の判断により、本件請求項２及び３に係る発明は、上記刊行物１〜３に記載されたものとも、上記刊行物１〜３記載のものから当業者が容易に推考することができたものともいえない。
　したがって、本件請求項１〜３に係る発明は特許出願の際独立して特許を受けることができるものである。　
　（オ）むすび
　以上のとおりであるから、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。　
（３）特許異議の申立について
　（ア）申立の理由の概要
　申立人旭光学工業株式会社は、証拠として甲第１号証（特開昭５６−１４７１３３号公報）、甲第２号証（特開昭６２−１５６６３４号公報）及び甲第３号証（特開昭６２−１０９０３１号公報）を提出し、本件請求項１〜５に係る発明の特許は、甲第１〜３号証記載の発明に基づいて当業者が容易に発明することができたものであるので特許法第２９条第２項の規定に違反してなされたものであるから、本件請求項１〜５に係る発明の特許を取り消すべき旨主張している。
　（イ）甲各号証記載の発明
　申立人旭光学工業株式会社が提出した甲第１〜３号証は、当審が平成１１年７月１９日付で通知した取消理由で引用した刊行物１〜３と同じものであり、上記「（２）、（エ）独立特許要件の判断、（引用刊行物）」において示されたとおりの発明が記載されている。
　（ウ）対比・判断
　訂正後の本件請求項１〜３に係る発明と申立人が提出した甲第１〜３号証記載の発明とを対比すると、上記「（２）、（エ）独立特許要件の判断、（対比・判断）」において示されたとおりの理由により、本件請求項１〜３に係る発明は、甲第１〜３号証に記載されたものとも、甲第１〜３号証に記載の発明から当業者が容易に推考することができたものともいえない。
　（エ）むすび
　したがって、特許異議申立の理由及び証拠によっては、本件請求項１〜３に係る発明の特許を取り消すことはできない。
　また、他に本件請求項１〜３に係る発明の特許を取り消すべき理由を発見しない。
　よって、結論のとおり決定する。
【異議決定日】
平成１２年４月２７日（２０００．４．２７）
【訂正の要旨】
　　　　　　　　　　　　　（訂正の要旨）
　訂正事項ａ
　特許請求の範囲の請求項１中、「レンズと、」を『変倍用のレンズと、』と訂正する。
　訂正事項ｂ
　特許請求の範囲の請求項１〜５において、もとの請求項２、請求項４を削除し、以下項数を繰上、請求項３を請求項２、請求項５を請求項３と訂正する。
　訂正事項ｃ
　特許請求の範囲の訂正後の請求項３中、「請求項１ないし４のいずれかに記載の」を
『請求項１または２に記載の』に訂正する。
　訂正事項ｄ
　明細書第５頁第１９行〜第６頁第１５行（特許公報第２頁第４欄第２３行）の「レンズと、」を『変倍用のレンズと、』に訂正する。
　訂正事項ｅ
　明細書第１４頁第５〜６行の間に挿入した［本発明と実施例における用語の対応関係］の欄中の「本発明における構成要素であるレンズ・・・や検出器３０１に対応している」（特許公報第４頁第７欄第２０〜２５行）を『　本発明における構成要素である変倍用レンズ、駆動手段、出力手段および検出手段は、それぞれ、実施例におけるＶレンズ１０２、駆動源１１１とドライバ１１４や、パルスジェネレータ１１９とパルス検出器１２０やマイコン１０９および検出器１１８に対応している。』に訂正する。
　訂正事項ｆ
　明細書第１４頁第７〜１１行の［発明の効果］の欄中の「本発明によるレンズ位置制御装置において、電動スイッチのオフに応答して駆動手段によりレンズを」（特許公報第４頁第８欄第５〜６行）を、『本発明によるレンズ位置制御装置において、電動スイッチのオフに応答して駆動手段により変倍用レンズを』と訂正する。
（５４）【発明の名称】
レンズ位置制御装置およびカメラ
（５７）【特許請求の範囲】
　１　変倍用のレンズと、前記レンズを移動させる駆動手段と、前記レンズの移動量に対応するパルスを順次出力する出力手段と、前記出力手段からのパルスを計数する計数手段と、前記レンズが基準位置にあることを検出する検出手段と、前記レンズが前記基準位置にある時に前記計数手段の計数値を初期化し、前記基準位置からの前記パルスの数に基づいて前記レンズの位置を検出して前記レンズ位置を制御する手段と、を有するレンズ位置制御装置であって、
　　　電源スイッチのオフに応答して前記駆動手段により前記レンズを前記基準位置まで移動させた後で電源を遮断し、前記電源スイッチのオンに応答して前記電源を接続した後で前記計数手段の計数値を初期化する手段を有することを特徴とするレンズ位置制御装置。
　２　前記出力手段がギヤに取り付けたパルスジェネレータとパルス検出器とを有することを特徴とする請求項１記載のレンズ位置制御装置。
　３　請求項１または２に記載のレンズ位置制御装置を備えていることを特徴とするカメラ。
【発明の詳細な説明】
　［産業上の利用分野］
　　本発明はズーミング機能を備えたシステム等のレンズ位置を制御するレンズ位置制御装置およびカメラに関するものである。
　［従来の技術］
　　第５図はズーミング機能を備えたレンズシステムの基本的な構成図である。第５図に於て、５０１，５０２，５０３，及び５０５はそれぞれ第１群、第２群、第３群および第４群のレンズ群であり、また５０４は絞り、５０６は撮像面である。
　　このレンズ構成で焦点調節や変倍を行う場合、第２群のレンズ群５０２で変倍を行い、第３群のレンズ群５０３で変倍に伴う焦点面保持の為の補正と焦点調節を行う方式がある。この場合、第１群のレンズ群５０１は固定のレンズ群となり、第４群のレンズ群５０５は固定の結像系レンズ群となる。
　第６図は第２群のレンズ群（以下Ｖレンズと略す）５０２のレンズの位置を横軸にとり、それに対する合焦時の第３群のレンズ群（以下Ｃレンズと略す）５０３のレンズ位置を、被写体距離をパラメータとして表わしたものである。第６図を見て明らかな様に、Ｖレンズ５０２で変倍、Ｃレンズ５０３でフォーカシングを行う場合には、被写体距離によってＶレンズ５０２の位置に対するＣレンズ５０３の位置が変化する。従って、ズーム中のＶレンズ５０２とＣレンズ５０３の連動は、カム溝を持つカム環を介して２つを連結し、カム溝に沿ってレンズを案内するといった単純な機械的構造では実現出来ない。
　この様に、被写体距離によって、ズーム時のレンズ移動軌跡が変化するという複雑な動きを制御する為には、例えば判断機能を有するマイクロコンピュータを用いて、このマイクロコンピュータに第６図に示される様なレンズ軌跡を記憶させ、前記２つのレンズ群の位置情報から、ズーム中のレンズ挙動を決定するといった方法をとる事が考えられる。この場合、前記２組のレンズ群の正確な位置を検出する必要があり、その為には、例えばパルスエンコーダ等、高い分解能を持つ位置検出装置を用いる必要がある。そして、マイクロコンピュータ内には、このパルスエンコーダの出力パルス数をカウント出来る様なカウンタを備えておき、このカウント値とレンズの絶対位置を予め正しく対応させておけば、精度の高い位置検出が可能となる。
　しかし、この方式によれば、マイクロコンピュータ内部にカウンタを備えている為、マイクロコンピュータの電源が一度遮断されてしまうと、カウンタメモリの値も揮発してしまう。このカウンタメモリの内容を揮発させない為には、　（１）メモリ保持用の電源を用いる。　（２）Ｅ２ＰＲＯＭ等の書き換え可能な記憶素子を用いる等の手段を講じる事が可能であるが、消費電力や実装面積、Ｅ２ＰＲＯＭの書き換え回数の限度等の問題から、適当な方策とはなり得ない。更に、この様にカウンタの値を記憶させておく方式では、エンコーダのカウントエラーを蓄積する可能性がある。
　そこで、これらの問題を除き、かつ消費電力や部品点数の増加なしに、正確にカウンタを動作させる方法として、レンズの移動範囲内に基準点を設定し、電源投入後最初のカウントを開始する前にレンズをその基準点まで移動して停止させ、カウンタを基準点に対応した値にリセットするという方式がとられている。
［発明が解決しようとする課題］
　しかしながら、上記従来例では、電源投入後にレンズのリセット動作を実行する事から、電源投入から通常動作に移行するまでの時間を長く要し、リセット期間中は撮影出来ないという欠点があった。
　なお、単に電源のＯＦＦに基づいて撮影レンズを繰込む方向に強制的に駆動させることは、特開昭６２−１０９０３１号にて本出願人が提案しているが、この提案の構成では上述の問題を解決することができないことになる。
　本発明は、電源のＯＦＦに応答してカウンタの所定値（リセット、プリセット）まで、レンズ駆動を強制的に行うことによって、再度の電源投入時には、その位置から撮影の為の動作を行うことを可能とし、従来のシステムでのタイムラグを無くしたレンズ位置制御装置およびカメラを提供することを目的とする。
［課題を解決するための手段および作用］
　本発明の目的を達成するための要旨とするところは、変倍用のレンズと、前記レンズを移動させる駆動手段と、前記レンズの移動量に対応するパルスを順次出力する出力手段と、前記出力手段からのパルスを計数する計数手段と、前記レンズが基準位置にあることを検出する検出手段と、前記レンズが前記基準位置にある時に前記計数手段の計数値を初期化し、前記基準位置からの前記パルスの数に基づいて前記レンズの位置を検出して前記レンズの位置を制御する手段と、を有するレンズ位置制御装置であって、電源スイッチのオフに応答して前記駆動手段により前記レンズを前記基準位置まで移動させた後で電源を遮断し、前記電源スイッチのオンに応答して前記電源を接続した後で前記計数手段の計数値を初期化する手段を有することを特徴とするレンズ位置制御装置、およびこのレンズ位置制御装置を備えていることを特徴とするカメラにある。
　上記した構成のレンズ位置制御装置およびカメラは、電源スイッチをオフにすると、その都度レンズが基準位置まで移動した後に停止するので、例えば次の撮影のために電源をオンにした場合に、従来よりも素早く撮影等のためのレンズ位置制御を行える。
［実施例］
実施例１
　第１図は本発明によるカメラのレンズ位置制御装置の実施例１のブロック図である。
　同図に於て１０１は固定の第１群のレンズ群、１０２は変倍を行う為の第２群のレンズ群（以下Ｖレンズと略す）、１０３は変倍時の焦点面の補正並びに焦点調節を行う為の第３群のレンズ群（以下Ｃレンズと略す）、１０４は絞り、１０５は結像系レンズ群、１０６はＣＣＤ等からなる撮像素子の撮像面、１０７は該撮像素子の出力を増幅する増幅回路、１０８は信号フィルタ、１０９はマイクロコンピュータ（以下マイコンと略す）、１１０は増幅回路１０７の出力から撮像面１０６に投影される像の明るさを判別し、絞り１０４の開閉をコントロールする為の制御回路、１１１〜１１３はそれぞれＶレンズ１０２、Ｃレンズ１０３、及び絞り１０４を駆動する為の駆動源、１１４〜１１６はそれぞれ駆動源１１１〜１１３をドライブするドライバー、１１７はＶレンズ１０２の移動に伴って回転するギヤ、１１８はＶレンズ１０２がある定められた基準点にある時信号を出力する検出器、１１９はギヤ１１７の回転に伴って回転し、回転に対して等間隔のパルスを出力するパルスジェネレータ、１２０はパルスジェネレータ１１９から出力されたパルスを検出し、１０９に伝送するパルス検出器である。
　又、第２図は本発明を実施する為に、マイコン１０９の内部で実行されるプログラムのフローチャートであり、２０１はプログラムの開始を表わすブロック、２０２はＡＦ、ズーム等のカメラ通常動作を行うプログラム、２０３はカメラの電源のスイッチがｏｆｆとなったかどうかを検知するプログラム、２０４はＶレンズ１０２の移動方向をリセット側に設定するプログラム、２０５はＶレンズ１０２のリセット時のスピードを設定するプログラム、２０６はＶレンズ１０２を定められた速度で移動させるプログラム、２０７はＶレンズ１０２がリセット位置に至ったか否かを判別するプログラム、２０８はＶレンズ１０２を停止させるプログラム、２０９は電源をｏｆｆさせるプログラム、２１０は電源スイッチがｏｎとなったか否かを検知するプログラム、２１１は電源をｏｎさせるプログラム、２１２はマイコン１０９内のズーム位置検出カウンタの値を、Ｖレンズ１０２のリセット位置に対応する値にセットするプログラムである。
　以下第２図のプログラムフローに基いて本実施の説明を行う。
　先ず、２０１に於てプログラムが開始されると、マイコン１０９はプログラム（以下Ｐと略す）２０３で電源スイッチのｏｆｆが確認されない限りＡＦズームの通常動作をＰ２０２で行う。Ｐ２０３で電源スイッチのｏｆｆが確認されると、Ｐ２０４でＶレンズ１０２の移動方向がリセット側にセットされ、Ｐ２０５ではＶレンズ１０２をリセットするのに適当なスピードが設定される。その後Ｐ２０６で、設定された速度に従ってＶレンズ１０２の駆動が行われ、Ｐ２０７でＶレンズ１０２がリセット位置に至ったと確認されるまでＶレンズ１０２の移動を続ける。Ｐ２０７は、検出器１１８の出力によりＶレンズ１０２のリセット位置到達を検知する。Ｖレンズ１０２がリセット位置に到達すると、Ｐ２０８でＶレンズ１０２を停止させ、Ｐ２０９での真の電源遮断を行う。
　電源遮断後は、Ｐ２１０で電源スイッチの再投入を待ち、電源スイッチが投入されれば、直ちにＰ２１１で回路に電力を供給し、マイコンのズームカウンタをリセット位置に対応したカウンタ値にセットして、Ｐ２０２の通常動作に入る。
　以上述べた様なリセットプロセスを用いる事により、電源投入後のリセット時間を短縮し、直ちに通常のカメラ動作に移る事が出来る。
　また、前記従来例に於ても、第１図の電気系統の電源のスイッチの開閉は、図示されていないマイコン１０９とは別のマイクロコンピュータ又は論理回路でコントロールされて居り、これらの電源制御装置にマイコン１０９から制御信号を伝送すれば、従来例より部品を追加することなく、本発明の実施が可能となる。
実施例２
　第３図は実施例２のブロック図、第４図はその動作を説明するフローチャートで、第１図及び第２図と同等の機能を有するブロックには同一の番号を付してある。
　第３図に於て、３０１はＣレンズ１０３が基準点に存在するか否かを検出する検出器である。尚、本実施例では、焦点調節を行うＣレンズ１０３の駆動源１１２に、慣性の影響を受けにくく、かつマイクロコンピュータで正確な制御が容易なステップモータを用いた場合の説明を行う。
　マイコン１０９でステップモータ１１２の駆動を制御する場合、ドライバー１１５にはマイコン１０９から直接ステップモータ１１２を回転させるのと等しい位相のパルスを出力できるので、そのパルスの増減をそのままマイコン１０９の内部でカウントすれば、Ｖレンズ１０２に設けられた様な特別のパルスジェネレータは必要としない。但し、駆動源１１２がステップモータでない場合には、当然、ギヤ１１７、パルスジェネレータ１１９、パルス検出器１２０といった装置を必要とする。
　この様なステップモータ用のカウンタも、実施例１で述べた場合と同様に通常動作に入る直前のリセットが必要である。
　第４図は本実施例を実行する為のマイコン１０９内部に於けるプログラムフローであり、４０１はこのプログラムの開始を示すブロック、４０２はＣレンズ１０３の移動方向をリセットの向きに設定するプログラム、４０３Ｃレンズ１０３のリセット時のスピードを設定するプログラム、４０４はＣレンズ１０３がリセット位置に至ったかどうかを検出器３０１の出力から検知するプログラム、４０５はＣレンズ１０３を駆動させるプログラム、４０６はＣレンズ１０３を停止させるプログラム、４０７は、Ｖ，Ｃ両レンズ１０２，１０３のリセットが完了し、停止しているかどうかを確認するプログラム、４０８は前述のパルスモータ駆動パルスのカウンタ（以下フォーカスカウンタと称す）をリセット位置に対応した値にセットするプログラムである。
　以下、本実施例を第４図のフローに基いて説明する。
　先ず４０１でプログラムの実行が開始されると、実施例１と同様にＰ２０３で電源スイッチのｏｆｆが確認されるまでＰ２０２に於て通常のカメラ動作が行われる。Ｐ２０３で電源スイッチｏｆｆが確認されると、Ｐ２０４，Ｐ２０５，Ｐ４０２，Ｐ４０３に於て、Ｖ，Ｃ両レンズ１０２，１０３のリセットに向かう方向と、リセット時の適正スピードが設定される。次にＰ２０７に於て、Ｖレンズ１０２がリセット位置に至っていなければ、Ｐ２０６において前記設定されていた速度でＶレンズが移動し、リセット位置に到達していればＰ２０８でＶレンズ１０２を停止させる。同様の判別と制御がＰ４０４〜４０６に於てＣレンズ１０３についても為され、Ｐ４０７で両レンズ群のリセットが完了するまで、Ｐ２０７〜４０６のプログラムがくり返される。
　両レンズ１０２，１０３のリセットが完了した時に、Ｐ２０９で真に電源が遮断される。
　電源が遮断された後は、Ｐ２１０で電源スイッチの投入を待ち、スイッチ投入後直ちにＰ２１１で真に電源が接続されて、Ｐ２１２，Ｐ４０８に於て、ズーム／フォーカスの各カウンタの値がそれぞれ、リセット位置に対応したカウンタ値にセットされて、Ｐ２０２の通常動作に移る。
　以上のプロセスを実行することにより、Ｖ，Ｃ両レンズ１０２，１０３のカウンタをリセットする場合にも本発明が適用出来る。
［本発明と実施例における用語の対応関係］
　本発明における構成要素である変倍用レンズ、駆動手段、出力手段および検出手段は、それぞれ、実施例におけるＶレンズ１０２、駆動源１１１とドライバ１１４、パルスジェネレータ１１９とパルス検出器１２０やマイコン１０９および検出器１１８に対応している。
　また、本発明における構成要素である計数手段、レンズの位置を制御する手段および計数値を初期化する手段は、いずれも実施におけるマイコン１０９内に含まれる手段に対応しており、それぞれは、前記出力手段からのパルスを計数し、前記レンズが基準位置にある時に前記計数手段の計数値を初期化し前記基準位置からの前記パルスの数に基づいて前記レンズの位置を検出して該レンズの位置を制御し、その電源スイッチのオフに応答して前記駆動手段により前記レンズを前記初期位置まで移動させた後で電源を遮断し、前記電源スイッチのオンに応答して前記電源を接続した後で前記計数手段の計数値を初期化するように機能するものである。
［発明の効果］
　本発明によるレンズ位置制御装置において、電源スイッチのオフに応答して駆動手段により変倍用のレンズを基準位置まで移動させた後で電源を遮断し、前記電源スイッチのオンに応答して前記電源を接続した後で前記計数手段の計数値を初期化するようになっているので、例えば、カメラの次の撮影動作に入るための電源スイッチのオン後には、前記基準位置からのパルスの数に基づいてレンズ位置検出して該レンズの位置を制御することになるので、従来のこの種の制御装置に比べて、電源スイッチのオン後、素早くレンズを所望の位置に駆動し、撮影動作が行えるという効果が得られる。
【図面の簡単な説明】
　第１図は本発明によるカメラのレンズ位置制御装置の実施例１を示すブロック図、第２図は実施例１の動作を説明するフローチャート、第３図は実施例２のブロック図、第４図は実施例２の動作を説明するフローチャート、第５図はズームレンズの基本的構成を示す図、第６図はＶレンズの位置に対する合焦時のＣレンズの位置を被写体距離をパラメータとして表わした図である。
１０２…第２群のレンズ群（Ｖレンズ）
１０３…第３群のレンズ群（Ｃレンズ）
１０６…撮像面
１０７…増幅回路
１０８…フィルタ
１０９…マイクロコンピュータ
１１１〜１１３…駆動源
１１４〜１１６…ドライバ
１１８…検出器
１１９…パルスジェネレータ
１２０…パルス検出器